(57)【要約】      （修正有）【課題】複数の異なる液晶メーカの液晶表示素子の開発導入の効率化を図る。【解決手段】液晶表示素子１は電源回路（ＩＣ）２と、液晶信号処理回路（ＩＣ）３と、液晶駆動ＴＦＴ（或いは画素ＴＦＴ）４とから構成される。電源回路（ＩＣ）２は単一電源Ａから複数の、例えば電源系統Ａを含めて３つの電源系統の電源電圧を生成する。第１の電源系統である電源系統Ａはデジタル信号処理およびパネル駆動信号生成用電源系統であり、第２の電源系統である電源系統Ｂは表示信号を表示素子専用のアナログ信号に変換する回路駆動用電源系統であり、第３の電源系統である電源系統Ｃは画素表示動作に関わる回路駆動用電源系統である。【選択図】  図１
2008003398.tif 000002
【特許請求の範囲】
【請求項１】
撮像信号を表示する液晶表示素子において、
入力された単一電源から複数の電源系統の電源電圧をそれぞれ可変に生成する電源回路を
備えることを特徴とする液晶表示素子。
【請求項２】
上記電源回路は、デジタル信号処理用の第１の電源系統、アナログ信号処理用の第２の電源系統、ゲートドライバ用の第３の電源系統の電源電圧をそれぞれ可変に生成することを特徴とする請求項１記載の液晶表示素子。
【請求項３】
上記撮像信号を液晶に表示するための信号処理を行う液晶信号処理回路をさらに備えることを特徴とする請求項１記載の液晶表示素子。
【請求項４】
上記液晶信号処理回路と上記電源回路とを上記液晶表示素子のガラス上に形成することを特徴とする請求項３記載の液晶表示素子。
【請求項５】
上記液晶信号処理回路を上記液晶表示素子のガラス上に形成し、上記電源回路を液晶表示素子の外部に形成することを特徴とする請求項３記載の液晶表示素子。
【請求項６】
上記電源回路と上記液晶信号処理回路を同一の通信線で制御することを特徴とする請求項３記載の液晶表示素子。
【請求項７】
被写体を撮像する撮像素子と、上記撮像素子によって撮像される被写体を表示する液晶表示素子とを備えてなる携帯型撮像装置であって、
上記液晶表示素子は入力された単一電源から複数ｍ（ｍは自然数）の電源系統の電源電圧をそれぞれ可変に生成する電源回路を
備えることを特徴とする携帯型撮像装置。
【発明の詳細な説明】
【技術分野】
【０００１】
本発明は、例えばビデオカメラ、デジタルカメラなどの携帯型撮像装置により被写体を撮像して得られた撮像信号を表示する液晶表示素子及びその携帯型撮像装置に関する。
【背景技術】
【０００２】
下記特許文献１には画像表示装置として用いられる液晶表示素子の電力効率を向上することを目的とした技術が開示されている。
【０００３】
また、ガラス基板上に直接半導体チップを実装するチップオングラス（chip on glass：COG）実装により、液晶信号処理集積回路（integrated circuit :IC）などが実装された液晶表示素子では、その液晶信号処理ICに液晶駆動用多電源出力機能を持つタイプIと、持たずに外部から供給されタイプIIに分類される。
【０００４】
タイプIIはさらにその電源回路部をガラス上、もしくはフレキシブルプリントサーキット（flexible print circuit:FPC）上にICチップ実装されたもの（タイプIIａ）とそうでないもの（タイプIIｂ）に区別される。
【０００５】
タイプIは、製造メーカ独自のチップ内フロアプランのため、ピン配置も各メーカで異なり、セット外付け基板で複数メーカ駆動に対してそれぞれ別個の基板で対応するため、経済面で不利である。
【０００６】
タイプIIaは、液晶用信号処理ICと液晶用電源ICの２チップに対してそれぞれの通信線を持つ必要があり、FPCコネクタピン数は増える。また、液晶用信号処理ICと液晶用電源ICの２チップになった場合でも各液晶メーカが電源ICを開発するため、FPCコネクタのピン配置はメーカ間で異なる。
【０００７】
タイプIIbは、異なるメーカの液晶表示素子で供給する電源電圧が異なるため、それぞれに対してセットシステムの電源ICの出力電力で対応するため、出力系統が多くなる傾向がある。また、セットデザインによってはFPCコネクタのピン数よりもFPCサイズの縮小、折り曲げ自由度を優先するものもあり、その場合は外付け基板の実装が有利になることもあり、電源ICの実装形態の自由度が高いほど多品種に対応でき、開発効率が上がる。
【０００８】
【特許文献１】特開２００５−１０２１０号公報
【発明の開示】
【発明が解決しようとする課題】
【０００９】
本発明は、上記実情に鑑みてなされたものであり、複数の異なる液晶メーカの液晶表示素子の開発導入の効率化を図ることを目的とする。また、異なる液晶メーカの液晶表示素子のピン配置の互換性を高めることを目的とする。また、各セットのデザイン・駆動システムに最適な液晶表示素子を提供することを目的とする。また、液晶表示素子の表示有効領域を狭めないことを目的とする。
【課題を解決するための手段】
【００１０】
本発明に係る液晶表示素子は、上記課題を解決するために、撮像信号を表示する液晶表示素子において、入力された単一電源から複数の電源系統の電源電圧をそれぞれ可変に生成する電源回路を備える。
【００１１】
電源回路は、入力された単一電源から、それぞれ複数の異なる液晶メーカの液晶表示素子の複数の電源系統に適するように多電源出力を可変に生成する。
【００１２】
電源回路は、デジタル信号処理用の第１の電源系統、アナログ信号処理用の第２の電源系統、ゲートドライバ用の第３の電源系統の電源電圧をそれぞれ可変に生成する。
【００１３】
第１の電源系統は、信号処理及びパネル駆動信号生成用電源系統である。また、第２の電源系統は、表示信号を表示素子専用のアナログ信号に変換する回路駆動用電源系統である。また、第３の電源系統は、画像表示動作に関わる回路駆動用電源系統である。
【００１４】
また、液晶表示素子は、撮像信号を液晶に表示するための信号処理を行う液晶信号処理回路をさらに備える。上記液晶信号処理回路と上記電源回路とを上記液晶表示素子のガラス上に形成するのが好ましい。また、上記液晶信号処理回路を上記液晶表示素子のガラス上に形成し、上記電源回路を液晶表示素子の外部に形成するのが好ましい。また、上記電源回路と上記液晶信号処理回路を同一の通信線で制御するのが好ましい。
【００１５】
本発明に係る携帯型撮像装置は、上記課題を解決するために、被写体を撮像する撮像素子と、上記撮像素子によって撮像される被写体を表示する液晶表示素子とを備えてなる携帯型撮像装置であって、上記液晶表示素子は入力された単一電源から複数の電源系統の電源電圧をそれぞれ可変に生成する電源回路を備える。
【００１６】
液晶表示素子の電源回路は、入力された単一電源から、それぞれ複数の異なる液晶メーカの液晶表示素子の複数の電源系統に適するように多電源出力を可変に生成する。
【発明の効果】
【００１７】
本発明によれば、電源回路の第２の系統、第３の系統の出力電圧を可変にすることで、液晶信号処理部のみ新規となり短期かつ効率的に新規液晶素子の開発が可能となる。つまり、複数の異なる液晶メーカの液晶表示素子の開発導入の効率化が図れる。
【００１８】
また、さらに電源部のピン配置を同一にすることができるため、FPCのコネクタ側ピン配置を異なるメーカ間で共通化することが容易になり、共通の外付け基板化によるコスト削減も期待できる。つまり、異なる液晶メーカの液晶表示素子のピン配置の互換性を高めることができる。
【００１９】
また、実装形態をFPC上、ガラス上、駆動基板上で使用できる同一の電源回路をデザイン・システムの異なるセットに応じて使い分けることで、最適な実装形態で液晶表示素子を従来よりも短期間で開発することが可能となる。つまり、各セットのデザイン・駆動システムに最適な液晶表示素子を提供することができる。
【００２０】
また、電源回路と液晶信号処理部を分離するので、液晶信号処理部はガラス上に、電源回路は駆動基板上又はFPCにというように外部に設けることができ、よって液晶表示の有効領域を効率良く使うことができる。
【発明を実施するための最良の形態】
【００２１】
以下、本発明を実施するための最良の形態について図面を参照しながら説明する。この実施の形態は撮像信号を表示する液晶表示素子１であり、入力された単一電源Ａから複数の電源系統の電源電圧をそれぞれ可変に生成する電源回路２を備える。
【００２２】
図１は、液晶表示素子１の概略的構成図である。電源回路（ＩＣ）２と、液晶信号処理回路（ＩＣ）３と、液晶駆動ＴＦＴ（或いは画素ＴＦＴ）４とからなる。
【００２３】
電源回路（ＩＣ）２１、単一電源Ａから複数の、例えば系統Ａを含めて例えば３つの電源系統の電源電圧を生成する。第１の電源系統である電源系統Ａは、デジタル信号処理およびパネル駆動信号生成用電源系統である。第２の電源系統である電源系統Ｂは、表示信号を表示素子専用のアナログ信号に変換する回路駆動用電源系統である。後述するように系統Ｂ１、Ｂ２が生成される。第３の電源系統である電源系統Ｃは、画素表示動作に関わる回路駆動用電源系統である。後述するように系統Ｃ１、Ｃ２が生成される。
【００２４】
液晶信号処理ＩＣ３は、電源系統Ａ、電源系統Ｂ１及びＢ２を用い、所定のカメラ信号処理などが施された映像信号に対して画像信号処理及び制御処理を施す。例えば、液晶表示素子１がデジタルビデオカメラに適用される場合、レンズやＣＣＤ等から構成される撮像部による撮像の結果得られた映像信号は映像信号処理部により所定のカメラ信号処理が施された後、液晶信号処理ＩＣ３に供給される。
【００２５】
液晶信号処理ＩＣ３は、所定のカメラ信号処理が施された映像信号を、例えばビデオメモリに記憶させながら、適宜読み出し所定の信号処理を行って、水平及び垂直ブランキング期間を有する映像信号を生成する。
【００２６】
また、液晶信号処理ＩＣ３は、図示せぬ入力制御部から供給された、各種ダイヤルやボタン等に対する操作内容に応じたパネル設定項目の設定を行うためのパネル設定データを、駆動用信号として生成する。
【００２７】
液晶駆動ＴＦＴ（或いは画素ＴＦＴ）４は、電源系統Ｃ１及びＣ２を用い、液晶信号処理ＩＣ３から供給された映像信号、駆動用信号を用いて、液晶を駆動する。具体的には、液晶信号処理ＩＣ３からシリアル通信で駆動用信号を受信し、その駆動用信号に示される設定データに基づいて、液晶信号処理ＩＣ３より入力された映像信号に対応する画像を表示する。
【００２８】
図２は、３つの電源系統Ａ、Ｂ及びＣの具体例と、さらに電源系統Ｂ及びＣの具体的な生成の仕方について説明するための図である。電源系統Ａは、2.7〜3.6V、もしくは1.7〜1.9Vとする。電源系統Ｂは、4.5〜6.5Vとする。電源系統Ｃは、ゲート電圧のHigh側電圧（7〜9Vもしくは14〜16Vで可変）である系統Ｃ１と、ゲート電圧のLow側電圧（-5〜-8Vもしくは-12〜-16Vで可変）である系統Ｃ２の２系統にさらに区別される。
【００２９】
また、電源系統Ｂを基に、液晶表示素子の画素に書き込まれるビデオ信号となるソースの出力回路・ガンマ回路の電源系統Ｂ１と、対向共通電極信号出力回路の電源系統Ｂ２が作られる。これら電源Ｂ１、Ｂ２の電圧は可変で通信により設定される。また。系統Ｃ生成用のＩＣ内部の基準電圧として系統Ｂ３が同様に通信設定される。
【００３０】
系統Ｂは系統Ａをもとにチャージポンプ回路により生成される。系統Ｃは系統Ｂ３をもとにチャージポンプ回路で生成される。
【００３１】
図３は、各電源系統Ａ，Ｂ１，Ｂ２，Ｃ１，Ｃ２の供給を受ける液晶表示素子１内部の詳細な構成を示す図である。液晶信号処理ＩＣ３を構成する入出力（Ｉ／Ｏ）回路３１と、データ信号処理回路３２と、ガンマ回路３３と、Ｄ／Ａコンバータ３４と、ＶＣＯＭドライバ３６と、通信制御部３７と、タイミングコントローラ３８とを備える。また、液晶駆動ＴＦＴ４を構成するソースドライバ４１と、ゲートドライバ４２と、表示エリア４３とを備える。
【００３２】
Ｉ／Ｏ回路３１は、電源系統Ａからの電圧を用いて所定のカメラ信号処理が施されたデータ信号を、同期信号及びクロックを用いて液晶信号処理ＩＣ３内に取り込む。データ信号処理回路３２は、Ｉ／Ｏ回路３１によって取り込まれた上記データ信号に電源系統Ａからの電圧を用いて液晶表示用の所定の信号処理を施す。ガンマ回路３３は、データ信号処理回路３２によって所定の信号処理が施されたデータ信号に電源系統Ｂ１からの電圧を用いてガンマ補正を施す。Ｄ／Ａコンバータ３４は、ガンマ回路３３によってガンマ補正された映像データをアナログ映像信号に電源系統Ｂ１からの電圧を用いて変換する。ソースドライバ４１は、電源系統Ｂ１や系統Ｃ１，Ｃ２からの電圧を用いて表示エリア４３に映像信号を供給する。ＶＣＯＭドライバ３６は、電源系統Ｂ２からの電圧を用いて駆動する。通信制御回路３７は、液晶表示素子１の外部から供給される通信信号を電源系統Ａからの電圧を用いて制御する。タイミングコントローラ３８は、電源系統Ａからの電圧を用いてゲートドライバ４２を駆動するための駆動用信号を生成する。ゲートドライバ４２は、電源系統Ｃ１、Ｃ２からの各電圧に基づいて液晶駆動ＴＦＴ、あるいは画素ＴＦＴを駆動する。
【００３３】
以上のような電源構成を持つ電源ＩＣチップ２の出力を液晶表示素子１のガラス上、またはＦＰＣ上の配線で液晶信号処理ＩＣ３に入力し、またＦＰＣを通して基板上に外付け部品としてキャパシタに接続する。
【００３４】
図４は、液晶表示素子１のガラス１ａ上に、電源ＩＣチップ２と液晶信号処理ＩＣチップ３を配置した例を示す。電源ＩＣ２と液晶信号処理ＩＣ３は、分離されているのでガラス１ａの底辺よりに横に並べて配置できる。電源ＩＣチップ２と液晶信号処理ＩＣ３は、ＦＰＣ６により外付け基板５に接続される。ＦＰＣ６のコネクタ７には、液晶信号処理ＩＣ３のＩ／Ｏ回路３１に接続される同期信号、クロック、データ信号のピン８が設けられている。また、電源ＩＣチップ２に電源系統Ａを供給するための電源回路関係のピン９も設けられている。さらに、通信制御回路３７に通信信号を供給するための通信信号用のピン１０も設けられている。外付け基板５上には、電圧安定化外付け部品１１及びチャージポンプ外付け部品１２が設けられている。電圧安定化外付け部品１１及びチャージポンプ外付け部品１２は、キャパシタにより構成されている。
【００３５】
この図４に示したＩＣ配置によれば、上述したように、電源ＩＣ２と液晶信号処理ＩＣ３を分離してガラス１ａの底辺側に横に並べて配置できるので、液晶表示素子１の有効表示領域を広げることができる。
【００３６】
図５は、液晶表示素子１のガラス１ａ上に、電源ＩＣチップ２と液晶信号処理ＩＣチップ３を配置した他の例を示す。電源ＩＣ２と液晶信号処理ＩＣ３は、分離されているのでガラス１ａの底辺よりに横に並べて配置できる。電源ＩＣチップ２と液晶信号処理ＩＣ３は、ＦＰＣ６に接続される。ＦＰＣ６には、電圧安定化外付け部品１１及びチャージポンプ外付け部品１２が設けられている。ＦＰＣ６のコネクタ７には、液晶信号処理ＩＣ３のＩ／Ｏ回路３１に接続される同期信号、クロック、データ信号のピン８が設けられている。また、通信制御回路３７に通信信号を供給するための通信信号用のピン１０も設けられている。
【００３７】
図６は、液晶表示素子１のガラス１ａ上に液晶信号処理ＩＣチップ３を、ＦＰＣ６上に電源ＩＣ２を配置した例を示す。電源ＩＣ２と液晶信号処理ＩＣ３は、分離されているので、ガラス１ａとＦＰＣ６に別々に配置できる。このため液晶表示素子１の有効表示領域をさらに広げることができる。また、ＦＰＣ６のコネクタ７には、液晶信号処理ＩＣ３のＩ／Ｏ回路３１に接続される同期信号、クロック、データ信号のピン８が設けられている。また、通信制御回路３７に通信信号を供給するための通信信号用のピン１０も設けられている。ＦＰＣ６上の電源チップＩＣ２は、電圧安定化外つけ部品１１とチャージポンプ外つけ部品１２と、コネクタ７上の電源回路関係ピン９と接続されている。
【００３８】
図７は、液晶表示素子１のガラス１ａ上に液晶信号処理ＩＣチップ３を、ＦＰＣ６上に電源ＩＣ２を配置した他の例を示す。この例では、ＦＰＣ６には、電圧安定化外つけ部品１１とチャージポンプ外つけ部品１２と配置している。ＦＰＣ６のコネクタ７には、液晶信号処理ＩＣ３のＩ／Ｏ回路３１に接続される同期信号、クロック、データ信号のピン８が設けられている。また、通信制御回路３７に通信信号を供給するための通信信号用のピン１０も設けられている。これらは外つけ基板５に接続される。
【００３９】
このとき電源チップＩＣ２は、図８及び図９に示すように、複数の液晶メーカの液晶表示素子を駆動するために電源系統Ｂ１、電源系統Ｂ２および電源系統Ｃ１、電源系統Ｃ２の電源電圧および駆動電流を通信設定により可変とする。図８及び図９にあって、液晶信号処理ＩＣ３に供給されるＶＢ１（ａ）とＶＢ１（ｂ）、ＶＢ２（ａ）とＶＢ２（ｂ）、ＶＣ１（ａ）とＶＣ２（ｂ）は液晶表示素子メーカａと液晶表示素子メーカｂで異なる。電源ＩＣ２は、その両方が規定する入力電圧をそれぞれ設定により供給する。
【００４０】
なお、図４及び図５に示したように、ガラス上に液晶信号処理ＩＣ・電源ＩＣの２チップ実装の場合には液晶信号処理チップＩＣよりも電源ＩＣのチップ短辺を短くし、画面方向に対して並列に配置することでガラス基板サイズへの影響を吸収、もしくは小さくすることができる。
【００４１】
また、この電源ＩＣ２は通信手段を液晶信号処理ＩＣ３と共有し、シリアル通信をイネーブルさせることができる。図１０は、電源ＩＣ２と液晶信号処理ＩＣ３で、制御用通信信号をシリアル通信線１３にて共用して供給する構成を示す。図１１は、制御用通信信号を共用するときのタイミングチャートである。チップセレクト（XCS）信号、シリアルクロック（SCK）数を拡張し、シリアルデータ（SI）として電源IC通信分（スタンバイ制御・電源シーケンス制御等）を付加することで制御信号線を増やさずに２チップに通信可能となる。
【００４２】
図１２は、電源ＩＣチップ２では、Ｍ段のシフトレジスタ２１にて、シリアルクロック（SCK）、シリアルデータ（SI）をＭ＋Ｎ段シフトさせる。レジスタ２２にて、Ｍ段分のデータをXCSの立ち上がりのタイミングで取り込む。制御回路２３にて、XCS立ち上がりで即時もしくはVSYNCタイミングで動作に反映させる。この電源ＩＣチップ２にて行われる制御内容としては、電源スタンバイ制御、電源シーケンス制御、電源系統電圧値設定、電源系統電流値設定、電圧生成回路周波数設定などがある。
【００４３】
また、液晶信号処理ＩＣ３では、Ｍ段のシフトレジスタ５１にて、シリアルクロック（SCK）、シリアルデータ（SI）をＮ段シフトさせる。レジスタ５２にて、Ｍ段分のデータをXCSの立ち上がりのタイミングで取り込む。制御回路５３にて、XCS立ち上がりで即時もしくはVSYNCタイミングで動作に反映させる。この液晶信号処理ＩＣチップ３にて行われる制御内容としては、液晶表示素子スタンバイ制御、共通電極信号振幅設定、共通電極信号ＤＣ電圧設定、上下・左右反転表示制御、タイミング制御などがある。
【００４４】
また、本発明の電源ＩＣ２を図１３に示すように外付け基板５上に実装した場合、上記と同様な電源系統を入力としてもつ外付けＩＣへ供給することや、ＦＰＣ６Cを介して液晶表示素子１のガラス１ａ上に形成されたTFT回路の電源として供給することも可能である。
【００４５】
また、図１４に示すように、ＦＰＣ６上のピン配置は、同じ実装構造のものであれば異なるメーカの液晶表示素子であっても同一になるよう配置する。図１４では、ＦＰＣ６のコネクタ７に、同期信号、クロック、データ信号制御通信のピン８と、電源回路関係のピン９を配置している。ピン８に対して各メーカは、ロジックのピン配置のみ共通にする設計を行う。また、ピン９に対してメーカが異なってもピン配置は変わらない。
【００４６】
以上に説明した液晶表示素子１は、図１５、図１６及び図１７に示すデジタルスチルカメラ６０、ビデオカメラ７０及びカメラ内蔵の携帯電話８１に適用できる。デジタルスチルカメラ６０は、図１５に示すように、本発明の液晶表示素子１を適用した表示部６６をカメラ本体６１に備えている。カメラ本体６１の裏面には、各種ダイヤルやボタン等の各種操作子６２、６３と、表示部６６が設けられている。また、カメラ本体６１に対して、回動可能にレンズ等が設けられたカメラヘッド６５が設けられている。
【００４７】
このデジタルスチルカメラ６０にあって、レンズやＣＣＤ等から構成される撮像部による撮像の結果得られた映像信号は映像信号処理部により所定のカメラ信号処理が施された後、図１に示した液晶信号処理ＩＣ３に供給される。
【００４８】
液晶信号処理ＩＣ３は、所定のカメラ信号処理が施された映像信号を、例えばビデオメモリに記憶させながら、適宜読み出し所定の信号処理を行って、水平及び垂直ブランキング期間を有する映像信号を生成する。
【００４９】
また、液晶信号処理ＩＣ３は、各種操作子６２、６３からの操作信号を判断する入力制御部から供給された、各種ダイヤルやボタン等に対する操作内容に応じたパネル設定項目の設定を行うためのパネル設定データを、駆動用信号として生成する。
【００５０】
液晶駆動ＴＦＴ（或いは画素ＴＦＴ）４は、電源系統Ｃ１及びＣ２を用い、液晶信号処理ＩＣ３から供給された映像信号、駆動用信号を用いて、液晶を駆動する。具体的には、液晶信号処理ＩＣ３からシリアル通信で駆動用信号を受信し、その駆動用信号に示される設定データに基づいて、液晶信号処理ＩＣ３より入力された映像信号に対応する画像を表示する。
【００５１】
このデジタルスチルカメラ６０にあっても、表示部６６として用いる液晶表示素子１には、上述したように、電源ＩＣ２と液晶信号処理ＩＣ３を分離してガラス１ａの底辺側に横に並べて配置できるので、液晶表示素子１の有効表示領域を広げることができる。
【００５２】
また、図１６に示すビデオカメラ７０も、本発明の液晶表示素子１を適用した表示部７６をカメラ本体７１に備えている。カメラ本体７１には、ファインダー７３や、バッテリー７４と、レンズ部７５が備えられている。また、カメラ本体７１に対して表示部７６は、可動可能に接続されている。この表示部７６に適用される液晶表示素子１でも、電源ＩＣ２と液晶信号処理ＩＣ３を分離してガラス１ａの底辺側に横に並べて配置できるので、液晶表示素子１の有効表示領域を広げることができる。
【００５３】
また、図１７に示す携帯電話８１も、本発明の液晶表示素子１を表示部８６に適用できる。この携帯電話８１は、本体部８５と蓋体部８３とをヒンジ部８４にて回動可能にしている。本体部８５には、各種ダイヤルやボタン等の各種操作子８２と、マイクロホン８８が設けられている。また、蓋体部８３には、スピーカ部８７と、その下に表示部８６が設けられている。この表示部８６に適用される液晶表示素子１でも、電源ＩＣ２と液晶信号処理ＩＣ３を分離してガラス１ａの底辺側に横に並べて配置できるので、液晶表示素子１の有効表示領域を広げることができる。
【図面の簡単な説明】
【００５４】
【図１】液晶表示素子の概略的構成図である。
【図２】３つの電源系統Ａ、Ｂ及びＣの具体例と、さらに電源系統Ｂ及びＣの具体的な生成の仕方について説明するための図である。
【図３】各電源系統Ａ，Ｂ１，Ｂ２，Ｃ１，Ｃ２の供給を受ける液晶表示素子内部の詳細な構成を示す図である。
【図４】液晶表示素子のガラス上に、電源ＩＣチップと液晶信号処理ＩＣチップを配置した例を示す図である。
【図５】液晶表示素子のガラス上に、電源ＩＣチップと液晶信号処理ＩＣチップを配置した他の例を示す図である。
【図６】液晶表示素子のガラス上に液晶信号処理ＩＣチップを、ＦＰＣ上に電源ＩＣを配置した例を示す図である。
【図７】液晶表示素子のガラス上に液晶信号処理ＩＣチップを、ＦＰＣ上に電源ＩＣを配置した他の例を示す図である。
【図８】液晶メーカａの液晶表示素子を駆動するための電源可変設定を示す図である。
【図９】液晶メーカｂの液晶表示素子を駆動するための電源可変設定を示す図である。
【図１０】電源ＩＣと液晶信号処理ＩＣで、制御用通信信号をシリアル通信線にて共用して供給する構成を示す図である。
【図１１】制御用通信信号を共用するときのタイミングチャートである。
【図１２】制御用通信信号を電源ＩＣ及び液晶信号処理ＩＣにて取り込む構成を示す図である。
【図１３】電源ＩＣを外付け基板に置いた場合を示す図である。
【図１４】本発明のピン配置を示す図である。
【図１５】本発明の液晶表示素子を適用した表示部をカメラ本体に備えているデジタルスチルカメラの外観図である。
【図１６】本発明の液晶表示素子を適用した表示部をカメラ本体に備えているビデオカメラの外観図である。
【図１７】本発明の液晶表示素子を適用した表示部を蓋体に備えている携帯電話の外観図である。
【符号の説明】
【００５５】
１  液晶表示素子、２  電源ＩＣ（回路）、３  液晶信号処理ＩＣ（回路）、４  液晶駆動ＴＦＴ
【図１】
2008003398.tif 000003
【図２】
2008003398.tif 000004
【図３】
2008003398.tif 000005
【図４】
2008003398.tif 000006
【図５】
2008003398.tif 000007
【図６】
2008003398.tif 000008
【図７】
2008003398.tif 000009
【図８】
2008003398.tif 000010
【図９】
2008003398.tif 000011
【図１０】
2008003398.tif 000012
【図１１】
2008003398.tif 000013
【図１２】
2008003398.tif 000014
【図１３】
2008003398.tif 000015
【図１４】
2008003398.tif 000016
【図１５】
2008003398.tif 000017
【図１６】
2008003398.tif 000018
【図１７】
2008003398.tif 000019